(57)【要約】【課題】  電柱および信号柱および照明柱等において天空側に細く地面側に太く、且つ、地面側の肉厚も厚くなっている単一単品の継目無内面多分割構造用テーパー鋼管も無く求められている。【解決手段】  電柱および信号柱および照明柱等において天空側に細く地面側に太く、且つ、地面側が肉厚も厚くなっている単一単品の継目無内面多分割構造用テーパー鋼管を供給する事を手段とする。【選択図】図１
2016125265.tif 000002
【特許請求の範囲】
【請求項１】
管内部に複数の中空部を有する内面多分割管であり、内部隔壁部ならびに外管部と一体成形された単一単品形状を成し、且つ、外形寸法ならびに管体肉厚および内部隔壁部肉厚ともに管軸方向全長にわたり増加する単一単品の継目無内面多分割構造用テーパー鋼管の構造
【請求項２】
管内部に複数の中空部を有する内面多分割管であり、内部隔壁部ならびに外管部と一体成形された単一単品形状を成し、且つ、内部隔壁部肉厚および外形寸法ならびに管体肉厚ともに寸法変化せず、管軸方向全長にわたり複数の中空部軸が管軸の周りをスクロールしている単一単品の継目無内面多分割構造用中空部スクロール鋼管の構造
【請求項３】
管内部に複数の中空部を有する内面多分割管であり、内部隔壁部ならびに外管部と一体成形された単一単品形状を成し、且つ、内部隔壁部肉厚は同一であり、外形寸法ならびに管体肉厚ともに管軸方向全長にわたり増加する単一単品の継目無内面多分割構造用テーパー鋼管の構造
【請求項４】
請求項１に適合し、管軸方向全長にわたり中空部の断面形状が徐々に拡大する単一単品の継目無内面多分割構造用テーパー鋼管の構造
【請求項５】
請求項１および請求項３の単一単品の継目無内面多分割構造用テーパー鋼管を用いた電柱および信号柱ならびに照明柱および標識柱
【発明の詳細な説明】
【技術分野】
【０００１】  本発明は、構造用鋼管として適用される管内部に複数の中空部を有する内面多分割管であり、内部隔壁部ならびに外管部と一体成形された単一単品形状を成し、且つ、外径寸法ならびに管体肉厚および内部隔壁部肉厚ともに管軸方向全長にわたり増加する単一単品の継目無内面多分割構造用テーパー鋼管である。【０００２】  以下の説明において、「内部隔壁部」とは、管内部を複数の中空部に分割する外管部と連続されている壁である。「外管部」とは、管の外表面より内部中空部に至る管体の肉厚部分である。「管体肉厚」とは、外管部の肉厚である。「内部隔壁肉厚」とは、内部隔壁部の肉厚である。「構造用テーパー鋼管」とは、曲げ応力ならびに剪断応力ならびに座屈応力等の各種構造物あるいは各種建築物および機械類に所望される耐応力のための外径寸法ならびに管の各部肉厚を管軸方向全長にわたり増加する形状の管である。「中空部スクロール鋼管」とは、管軸方向全長にわたり複数の中空部軸が管軸の周りをスクロールしている鋼管である。【０００３】  管の各部寸法および材質ならびに必要な応力数値は、所望される各種数値に耐え得るように製造寸法あるいは材質の選択を適宜決定すれば良いので明示しない。
【背景技術】
【０００４】  電柱や信号柱および照明柱に用いる単一単品の継目無内面多分割構造用テーパー鋼管がない。
【発明の概要】
【発明が解決しようとする課題】
【０００５】  電柱および信号柱および照明柱等において天空側に細く地面側に太く、且つ、地面側の肉厚も厚くなっている単一単品の継目無内面多分割構造用テーパー鋼管も求められているが無い。また、日常生活で良く見かける道路標識柱は、雨滴や動物のマーキング行為が原因で地面近傍の部分が腐食して孔が開いたり折れ曲がったりしているのを良く見かけるが腐食が原因と考察される。また、柱の自重および曲げ応力が大きく負荷する地面近傍は、耐応力が必要である上に腐食も考慮しなければならない。その必要性においても問題を解決する手段を講じた標識柱も求められているにもかかわらず地面側が外径寸法も肉厚寸法も大きくなっている単一単品の継目無内面多分割構造用テーパー鋼管も求められているが無い。【０００６】  標識柱以外にも、信号柱や電柱や照明柱等も同様な事が起こる。特に、トランスや各種電線および信号線等の大きな荷重が負荷する電柱においては肉厚なテーパー上の鋼管柱も必要にされている。
【課題を解決するための手段】
【０００７】  電柱および信号柱および照明柱等において天空側に細く地面側に太く、且つ、地面側が肉厚も厚くなっている単一単品の継目無内面多分割構造用テーパー鋼管を供給し課題を解決する手段とする。また、内部隔壁部を配備しより耐応力の手段とする。
【発明の効果】
【０００８】  天空側に細く地面側に太く、且つ、地面側が肉厚も厚くなっているので地面近傍の腐食にも功を奏しその上、内部隔壁部を配備した事により耐応力の効果も顕著に現れる。特に、雨滴や酸性雰囲気に晒されない内部に肉厚を有する内部隔壁部がある本発明の特徴は効果が大きい。
【図面の簡単な説明】
【０００９】
【図１】  本図は単一単品図であり、本発明の単一単品の継目無内面多分割構造用テーパー鋼管の正面図および側面図および平面図である。但し、複数の中空部軸が管軸に対し角度を有している。
【図２】  図１の各部断面図である。
【図３】  本図は単一単品図であり、本発明の単一単品の継目無内面多分割構造用テーパー鋼管の正面図および側面図および平面図である。但し、複数の中空部軸が管軸に対し平行である。
【図４】  図３の各部断面図である。
【図５】  本図は単品図であり、本発明の単一単品の継目無内面多分割構造用中空部スクロール鋼管の正面図および側面図および平面図である。但し、複数の中空部軸が管軸の周りをスクロールしている。また、テーパー状ではない。
【図６】  図５の各部断面図である。
【図７】  本発明の単一単品の継目無内面多分割構造用テーパー鋼管の照明柱に実施する例の斜視図である。
【図８】  本発明の単一単品の継目無内面多分割構造用テーパー鋼管の電柱に実施する例の斜視図である。
【図９】  本発明の単一単品の継目無内面多分割構造用テーパー鋼管の信号柱および標識柱に実施する例の斜視図である。
【図１０】  図９にフランジ部の継手を配備した例の斜視図である。
【発明を実施するための形態】
【００１０】  図１において、中空部軸と管軸とが角度α１をなしている。側面図より左側管端の外径はＤ１であり、右側管端の外径はＤ２である。Ｄ２はＤ１より数値は大きい。図２のａ−ａ断面およびｂ−ｂ断面ならびにｃ−ｃ断面の比較をすると内部隔壁部の内部隔壁肉厚が、管軸を右方向に進むに伴い増加する変化を明瞭に見てとれる。次に、左側管端の管体肉厚はＴ１であり右側管端の管体肉厚はＴ２である。Ｔ２の数値はＴ１の数値より大きい。中空部の断面形状および断面の大きさは変わらない。
【００１１】  図示はしないが、図１を素管とし熱間あるいは冷間にて中空部にテーパー状の治具を右側管端より差し込み中空部の断面積を押し広げる成形加工を施すと、請求項１に適合し、管軸方向全長にわたり中空部の断面形状が徐々に拡大する単一単品の継目無内面多分割構造用テーパー鋼管が出来上がる。
【００１２】  図３は、中空部軸と管軸とが平行である。側面図より左側管端の外径はＤ３であり、右側管端の外径はＤ４である。Ｄ４はＤ３より数値は大きい。内部隔壁部の内部隔壁肉厚Ｔ５は、変わらない。しかしながら、図４のｄ−ｄ断面およびｅ−ｅ断面ならびにｆ−ｆ断面を比較すると右方向に進むと管体肉厚は数値が大きくなる。
【００１３】  図５は、管内部に複数の中空部を有する内面多分割管であり、内部隔壁部ならびに外管部と一体成形された単一単品形状を成し、且つ、内部隔壁部肉厚および外形寸法ならびに管体肉厚ともに寸法変化せず、管軸方向全長にわたり複数の中空部軸が管軸の周りをスクロールしている単一単品の継目無内面多分割構造用中空部スクロール鋼管の構造を図示説明している正面図および側面図および平面図である。１００および１０１はそれぞれ中空部軸である。
【００１４】  図６は、図５のｇ−ｇ断面およびｈ−ｈ断面図およびｊ−ｊ断面図である。黒いドットは、内部隔壁部の位置にマーキングしてある。
左側より右方向に向って反時計回りにスクロールしている。この場合、管全長おいて９０度スクロールしているが、他の角度であっても支障は無い。
【実施例】
【００１５】  図７は、課題の一つの照明柱の実施例である。１は、単一単品の継目無内面多分割構造用テーパー鋼管本体であり。２は、照明器具取付け金具である。３は、管端蓋板１である。５は、地面側管端蓋板である。６は、固定ボルト孔であり図示していない基礎にボルト止めするボルト孔である。管内部に複数の中空部を有する内面多分割管であり、内部隔壁部ならびに外管部と一体成形された単一単品形状を成し、且つ、外形寸法ならびに管体肉厚および内部隔壁部肉厚ともに管軸方向全長にわたり増加する単一単品の継目無内面多分割構造用テーパー鋼管を用いた照明柱の構造は、課題の解決に寄与する。【００１６】  図８は、管内部に複数の中空部を有する内面多分割管であり、内部隔壁部ならびに外管部と一体成形された単一単品形状を成し、且つ、外形寸法ならびに管体肉厚および内部隔壁部肉厚ともに管軸方向全長にわたり増加する単一単品の継目無内面多分割構造用テーパー鋼管を用いた電柱の構造である。１０は、単一単品の継目無内面多分割構造用テーパー鋼管本体であり１３の管端蓋板３で先端の管端を封じる。１６は、ステップボルトあるいはステップ足場であり電柱に登るための足場です。【００１７】  図９は、管内部に複数の中空部を有する内面多分割管であり、内部隔壁部ならびに外管部と一体成形された単一単品形状を成し、且つ、外形寸法ならびに管体肉厚および内部隔壁部肉厚ともに管軸方向全長にわたり増加する単一単品の継目無内面多分割構造用テーパー鋼管を用いた信号柱の構造である。１２は、信号機取付け金具である。図１０は、１５は、組み立て用フランジを施した図９の信号柱の組み立て構造にしたものである。
【産業上の利用可能性】
【００１８】  実施例に挙げた実施例以外に、建築の鉄骨構造にも利用可能性がある。また、全体を大きな弓上に曲げ加工を施し橋梁にも利用可能性も考えられる。スクロール管は、軸流ポンプの羽根にも、その他に軸流スクリュウーにも可能性は色々考えられる。
【符号の説明】
【００１９】α１                          中空部軸と管軸とのなす角度
Ｄ１，Ｄ２，Ｄ３，Ｄ４        管の外径寸法
Ｔ１、Ｔ２、Ｔ３、Ｔ４、Ｔ５  肉厚
１００，１０１                中空部軸
１                            単一単品の継目無内面多分割構造用テーパー鋼管本体曲                              げ有
２                            照明器具取付け金具
３                            管端蓋板１
５                            地面側管端蓋板
６                            固定ボルト孔
１０                          単一単品の継目無内面多分割構造用テーパー鋼管本体
１１                          管端蓋板２
１２                          信号機取付け金具
１３                          管端蓋板３
１５                          組み立て用フランジ
１６                          ステップボルトあるいはステップ足場
【図１】
2016125265.tif 000003
【図２】
2016125265.tif 000004
【図３】
2016125265.tif 000005
【図４】
2016125265.tif 000006
【図５】
2016125265.tif 000007
【図６】
2016125265.tif 000008
【図７】
2016125265.tif 000009
【図８】
2016125265.tif 000010
【図９】
2016125265.tif 000011
【図１０】
2016125265.tif 000012